(57)【要約】【課題】浮き下を長くしても道糸を十分に巻き取ることができ、また、魚が餌に食い付いたときに浮き体に大きな浮力が急激に作用することがなく、さらにまた、魚の大きな当たりも微細な当たりも容易に知ることができる釣り用浮きを提供する。【解決手段】釣り用浮き３は道糸２上に列をなして摺動自由に設けられる複数個の浮き体６と、道糸２上の浮き体６の列の先頭位置に摺動自由に設けられる複数個のシモリウキ７とから成る。前記シモリウキ７は、水面に浮いた状態での水面下への引き込みに対する抵抗力が浮き体６より小さい小球体に形成されている。【選択図】図１
2006180722.tif 000002
【特許請求の範囲】
【請求項１】
道糸上に列をなして摺動自由に設けられる複数個の浮き体と、道糸上の浮き体の列の先頭位置または中間位置に摺動自由に設けられる少なくとも１個のシモリウキとから成り、前記シモリウキは、水面に浮いた状態での水面下への引き込みに対する抵抗力が前記浮き体より小さい小球体に形成されて成る釣り用浮き。
【請求項２】
前記の複数個の浮き体は、水面に浮いた状態での水面下への引き込みに対する抵抗力に差異がない１種類の浮き体により構成されている請求項１に記載された釣り用浮き。
【請求項３】
前記シモリウキは、浮き体の列の先頭位置に少なくとも１個設けられている請求項１または２に記載された釣り用浮き。
【請求項４】
前記シモリウキは、浮き体の列の中間位置に少なくとも１個設けられている請求項１または２に記載された釣り用浮き。
【請求項５】
前記シモリウキは、全ての隣り合う浮き体間にそれぞれ設けられている請求項４に記載された釣り用浮き。
【請求項６】
前記の複数個の浮き体は、水面に浮いた状態での水面下への引き込みに対する抵抗力に差異がある２種類の浮き体により構成されており、前記抵抗力の大きい方の浮き体の列の後に少なくとも１個のシモリウキを介在させて前記抵抗力の小さい方の浮き体の列が連ねられている請求項１に記載された釣り用浮き。
【請求項７】
前記抵抗力の小さい方の浮き体の列には、全ての隣り合う浮き体間に少なくとも１個のシモリウキがそれぞれ設けられている請求項６に記載された釣り用浮き。
【発明の詳細な説明】
【技術分野】
【０００１】
この発明は、道糸上に設けられる釣り用浮きに関し、特にこの発明は、浮き体が移動可能に構成されている釣り用浮きに関する。
【背景技術】
【０００２】
従来、釣り用浮きは、浮き体として棒状のものなど、種々の形態のものが用いられている。浮き体は典型的には道糸の水深に応じた位置に固定的に取り付けられる。この種の浮きは、水深が浅ければ問題ないが、水深が深いときは浮き下を長くするため、リールに道糸を十分に巻き取ることができない。すなわち、浮き体が釣り竿の先端に設けられたリングの位置に達したとき、それ以上に道糸を巻き取ることができない。その結果、釣り上げた魚を手元まで十分に引き寄せられず、途中で魚を取り逃がしてしまう。そこで、水深が深いような場合には、浮き体を道糸に沿って移動させて浮き下を短くできる移動浮きを用いることもできる（例えば、特許文献１）。
【０００３】
【特許文献１】特開２００３−７９２９６号公報
【発明の開示】
【発明が解決しようとする課題】
【０００４】
この種の移動浮きでは、浮き体を道糸に沿って水面下から水面まで移動させて浮遊させるために浮力の大きな浮き体を用いる必要がある。
しかしながら、浮き体の浮力が大きい場合、魚が餌に食い付いて浮き体が水中に引き込まれると、浮き体にその大きな浮力が作用してその浮力が餌に伝わるため、魚が違和感を感じて餌を放してしまい、餌の食い付きが悪いという問題がある。
【０００５】
この発明は、上記した問題に着目してなされたもので、浮き下を長くしても道糸を十分に巻き取ることができ、また、魚が餌に食い付いたときに浮き体に大きな浮力が急激に作用することのない釣り用浮きを提供することを目的とする。
また、この発明が他に目的とするところは、魚の大きな当たりも微細な当たりも容易に知ることができる釣り用浮きを提供することにある。
【課題を解決するための手段】
【０００６】
この発明による釣り用浮きは、道糸上に列をなして摺動自由に設けられる複数個の浮き体と、道糸上の浮き体の列の先頭位置または中間位置に摺動自由に設けられる少なくとも１個のシモリウキとから成る。前記シモリウキは、水面に浮いた状態での水面下への引き込みに対する抵抗力が前記浮き体より小さい小球体に形成されている。
【０００７】
この発明の好ましい実施態様においては、前記の複数個の浮き体は、水面に浮いた状態での水面下への引き込みに対する抵抗力に差異がない１種類の浮き体により構成するが、後述するように、水面に浮いた状態での水面下への引き込みに対する抵抗力に差異がある２種類の浮き体により構成することもできる。なお、浮き体は、中心に糸通し孔を有する筒状体のものが望ましいが、そのような形態に限られるものではない。
【０００８】
１種類の浮き体により構成する場合、実施態様において、前記シモリウキは、浮き体の列の先頭位置に少なくとも１個設けるか、または、浮き体の列の中間位置に少なくとも１個設けるようにする。中間位置に設ける実施態様では、中間位置の１カ所にシモリウキを設けてもよく、全ての隣り合う浮き体間にそれぞれシモリウキを設けてもよい。
なお、シモリウキは、中心に糸通し孔を有する球体のものが望ましいが、形態は必ずしも完全な球体である必要はない。
【０００９】
この発明による釣り用浮きが水中に投げ入れられると、各浮き体とシモリウキとは道糸に沿って上方へ移動し、浮止めの位置で止まる。このとき、全ての浮き体が水面上に浮くように錘の重量が定められるが、錘を必ずしも用いる必要はない。シモリウキが浮き体の列の先頭位置に設けられる場合、先頭位置のシモリウキの部分で道糸が直角に曲がる。シモリウキが浮き体の列の中間位置に設けられる場合、先の浮き体が水面下に沈んだ状態で中間位置のシモリウキの部分で道糸が直角に曲がる。
魚が餌に食い付くと、水面上に浮遊する複数個の浮き体が１個づつ順次水中に引き込まれるので、大きな浮力が急激に餌に加わることがなく、魚は違和感を感じない。また、強い当たりに対しては多数個の浮き体が順次水中に引き込まれ、微細な当たりに対しては１個ないしは少数個の浮き体が水中に引き込まれたり水面を浮き沈みしたりするので、魚の大きな当たりも微細な当たりも容易に知ることができる。さらに、道糸はシモリウキの部分で直角に曲がるので、当たりが敏感に現れ、その当たりに対して、浮いている浮き体の動きが大きなものとなる。しかも、直角が崩れて浮き体が沈み始めるので、合わせのタイミングが取り易くなる。
魚を釣り上げる際、たとえ水深が深くて浮き下が長くても、各浮き体およびシモリウキは道糸に沿って釣り針の方向へ移動するので、道糸は十分に巻き取られ、釣り上げた魚は手元まで十分に引き寄せられる。
【００１０】
この発明の好ましい他の実施態様においては、上記した複数個の浮き体は、水面に浮いた状態での水面下への引き込みに対する抵抗力に差異がある２種類の浮き体により構成する。この実施態様の場合、前記抵抗力の大きい方の浮き体の列の後に少なくとも１個のシモリウキを介在させて前記抵抗力の小さい方の浮き体の列を連ねる。また、他の実施態様として、前記抵抗力の小さい方の浮き体の列に、全ての隣り合う浮き体間に少なくとも１個のシモリウキをそれぞれ設けてもよい。
【００１１】
上記した構成の浮き体を用いる場合、シモリウキの位置を境に、前記抵抗力の大きい方の浮き体は水面下に位置し、前記抵抗力の小さい方の浮き体が水面に浮遊するように錘の重量を定めるもので、これにより、道糸はシモリウキの部分で直角に曲がる。なお、抵抗力の小さい方の浮き体は前記抵抗力が可能な限り小さな値に設定するのが望ましい。
この実施態様によると、魚が餌に食い付くと、水面に浮遊する浮き体が１個づつ順次水面下に引き込まれる。このとき、水面に浮く浮き体は水面下への引き込みに対する抵抗力が小さいので、大きな浮力が急激に餌に加わることがなく、魚は違和感を感じない。また、水面に浮遊する浮きの動きが顕著であるので、当たりがきわめて分かり易い。さらに、道糸はシモリウキの部分で直角に曲がるので、当たりが敏感に現れ、当たりに対する浮き体の動きが大きなものとなる。しかも、直角が崩れて浮き体が沈み始めるので、合わせのタイミングが取り易い。
【発明の効果】
【００１２】
この発明によれば、浮き体およびシモリウキが道糸に沿って移動可能であるから、水深が深くて浮き下を長くしても道糸を十分に巻き取ることができる。また、魚が餌に食い付いたときには各浮き体が順次水中に引き込まれるので、浮き体に大きな浮力が急激に作用することがなく、魚が違和感を感じて餌を放すこともない。さらに、当たりの大きさに応じた個数だけ浮き体が順次水中に引き込まれたり、水面を浮き沈みしたりするので、魚の大きな当たりも微細な当たりも容易に知ることができる。さらにまた、道糸はシモリウキの部分で直角に曲がるので、当たりが敏感に現れ、当たりに対する浮き体の動きが大きなものとなり、合わせのタイミングが取り易くなる。
【発明を実施するための最良の形態】
【００１３】
図１および図２は、この発明の一実施例である釣り用浮き３が用いられた釣り具１の構成を示している。なお、図１は道糸２を繰り出して釣り用浮き３を水中に投げ入れた後の状態を、図２は道糸２を巻き取って釣り用浮き３を水面上に引き上げたときの状態を、それぞれ示している。
【００１４】
前記道糸２上の２カ所に浮止め４Ａ，４Ｂがそれぞれ固定され、各浮止め４Ａ，４Ｂ間に一対のシモリ玉５Ａ，５Ｂが、また、各シモリ玉５Ａ，５Ｂ間に釣り用浮き３が、それぞれ道糸２に沿って移動可能に設けられている。前記釣り用浮き３は、列をなして設けられる複数個（図示例では５個）の浮き体６と、浮き体６の先頭位置に列をなして設けられる複数個（図示例では５個）のシモリウキ７とから構成される。図示例のものは、５個全ての浮き体６が水面ａに浮き、シモリウキ７の部分で道糸２が直角に曲がり、その先が水面下に没している。
【００１５】
前記道糸２は釣り竿８の基端部に装着されたリール９に巻かれている。このリール９より繰り出された道糸２は、釣り竿８の先端に取り付けられたリング状のガイド１０を通って前方へ引き出される。道糸２の先端に釣り針１１が、その手前位置にサルカン１２が、それぞれ取り付けられている。この実施例では錘は用いられていない。
前記浮止め４Ａ，４Ｂはシモリ玉５Ａ，５Ｂの通過を阻止するもので、一方の浮止め４Ｂは水深に応じた位置に設けられる。この浮止め４Ｂは前記ガイド１０を通過することが可能である。各浮き止め４Ａ，４Ｂは、道糸２にゴムなどの部材を装着して形成したものであってもよく、道糸２をこぶ状に結んで形成したものであってもよい。
【００１６】
前記シモリ玉５Ａ，５Ｂは、浮き体６やシモリウキ７が浮止め４Ａ，４Ｂを通過しないようにするための部材である。シモリ玉５Ｂは前記ガイド１０を通過できない大きさのものであり、従って、道糸２を図２のようにリール８に巻き取るとき、浮止め４Ｂはガイド１０を通過するが、シモリ玉５Ｂはガイド１０の手前で止まる。このシモリ玉５Ａ，５Ｂには球の中心を貫通する道糸２の糸通し孔（図示せず。）が形成されている。この糸通し孔の孔径は道糸２の直径より十分大きな値に設定されているので、シモリ玉５Ａ，５Ｂは道糸２に沿って摺動自由である。また、シモリ玉５Ａ，５Ｂの糸通し孔の孔径は浮止め４Ａ，４Ｂの外形よりそれぞれ小さいので、一方のシモリ玉５Ａは浮止め４Ａを、他方のシモリ玉５Ｂは浮止め４Ｂを、それぞれ乗り越えて移動することがない。
【００１７】
各浮き体６は、図３に示すように、内部に空気が閉じ込められた中空室２１を有する円筒形状の中空部材２２をもって構成されている。前記中空部材２２は合成樹脂の成形体であり、中心を長さ方向へ貫通する道糸２の糸通し孔２３が形成されている。この糸通し孔２３は孔径が道糸２の直径より十分に大きな値に設定され、この糸通し孔２３に道糸２が摺動自由に挿通される。糸通し孔２３は浮き体６の両端面６ａ，６ｂに開口しており、各端面６ａ，６ｂを隣の浮き体６の端面と突き合わせたとき糸通し孔２３が互いに連通するように全ての浮き体６が一列に連ねられる。
なお、浮き体６の個数は２個以上、望ましくは３個以上に設定されるが、その個数は限定されない。また、浮き体６の形状は必ずしも図示例のような円筒状である必要はない。
【００１８】
さらに、全ての浮き体６は、同じ大きさのものを用いることもでき、また、後述する図１１，１２に示す実施例のように、同一材質、同一構造のものであって体積の異なる２種類の浮き体６Ｌ，６Ｓを用いることもできる。
さらにまた、水面に浮いた状態での水面下への引き込みに対する抵抗力に差異があるように、材質、構造、体積の少なくともひとつを違えた２種類の浮き体を用いることもできる。
【００１９】
図４は、浮き体６の他の実施例を示している。同図の浮き体６は、図３の浮き体６と同様、内部に空気が閉じ込められた中空室２１を有する円筒形状の中空部材２２をもって構成されている。中空部材２２の外周部分には長さ方向に沿って道糸２の糸通し孔２３が形成されている。
【００２０】
図５および図６は、浮き体６のさらに他の実施例を示している。図５の浮き体６は内部に空気が閉じ込められた中空室２１を有する円筒形状の中空部材２２を２個組み合わせて構成され、また、図６の浮き体６は内部に空気が閉じ込められた中空室２１を有する円筒形状の中空部材２２を３個組み合わせて構成されている。
いずれの実施例においても、各中空部材２２は長さ方向を揃えられて外周面が接合されており、その接合部分に長さ方向に沿う道糸２の糸通し孔２３が形成されている。
【００２１】
上記した各実施例のように、浮き体６を中空室２１を有する円筒形状の中空部材２２をもって構成した場合、材質を問わず、軽量であって十分な浮力が得られ、形状なども自由に設計できる。なお、浮き体６は、このような中空部材に限らず、発泡体のような材料をもって形成することもできる。
【００２２】
前記したシモリウキ７は、図７に示すように、内部に空気が閉じ込められた中空室３１を有する球状の中空部材３２をもって構成されている。前記中空部材３２は合成樹脂の成形体であり、中心を長さ方向へ貫通する糸通し孔３３が形成されている。この糸通し孔３３の孔径は道糸２の直径より十分に大きな値に設定されており、この糸通し孔３３に道糸２が摺動自由に挿通される。シモリウキ７を隣のシモリウキ７または浮き体６と突き合わせたとき、糸通し孔３３，３３間または３３，２３間が互いに連通し、全てのシモリウキ７と全ての浮き体６とが一列に連なる。なお、シモリウキ７は、必ずしも完全な球体である必要はなく、例えば図８に示すように、糸通し孔３３の方向に長い形態のものであってもよい。これらのシモリウキ７は、水面に浮いた状態での水面下への引き込みに対する抵抗力が可能な限り小さな値（ゼロに近い値）に設定されている。また、シモリウキ７は、この実施例のように必ずしも中空体である必要はなく、中身が詰まったものでもよい。
なお、シモリウキ７の個数は少なくとも１個、望ましくは２個以上に設定されるが、その個数は限定されない。
【００２３】
図１の実施例では、浮き体６の列の先頭位置にシモリウキ７を５個連ねているが、図９に示す実施例のように、浮き体６の列の中間位置に少なくとも１個、望ましくは複数個（図示例では５個）連ねるようにしてもよい。
さらにまた、図１０に示すように、全ての隣り合う浮き体６，６間にそれぞれシモリウキ７を少なくとも１個設けてもよい。
いずれの実施例も、全ての浮き体６と全てのシモリウキ７とを水面ａに浮遊させるので、図１の実施例と同様、道糸２に錘は取り付けられていない。
【００２４】
図１１は、釣り用浮き３の他の実施例を示している。この実施例の釣り用浮き３は、水面ａに浮いた状態での水面下への引き込みに対する抵抗力に差異がある２種類の浮き体６Ｌ，６Ｓ、具体的には、材質および構造が同じで体積が異なる２種類の浮き体６Ｌ，６Ｓを用いて構成されている。体積が大きい方の浮き体６Ｌは２個連ねられている。その浮き体６Ｌの列の後にシモリウキ７が５個連ねられている。さらに、そのシモリウキ７の列の後に体積が小さい方の浮き体６Ｓが５個連ねられている。
この実施例では、体積の大きい方の浮き体６Ｌの全てが水面下に位置し、体積の小さい方の浮き体６Ｓの全てが水面ａに浮遊するように、錘１３の重量が定められている。道糸２は浮き体６Ｌ，６Ｓ間に位置するシモリウキ７の部分で直角に曲がる。
なお、体積の小さい方の浮き体６Ｓの列には、図１２に示すように、全ての隣り合う浮き体６Ｓ，６Ｓ間に１個のシモリウキ７をそれぞれ設けるようにしてもよい。
【００２５】
かくして、釣り用浮き３が水中に投げ入れられると、図１、図９、および図１０に示す各実施例では、１種類の複数個の浮き体６と複数個のシモリウキ７とが道糸２に沿って上方へ移動し、浮止め４Ｂの位置にあるシモリ玉５Ｂによって移動が阻止される。図１１および図１２に示す実施例では、２種類の複数個の浮き体６Ｌ，６Ｓと複数個のシモリウキ７とが道糸２に沿って上方へ移動し、浮止め４Ｂの位置にあるシモリ玉５Ｂによって移動が阻止される。図１、図９、および図１０の各実施例では、全ての浮き体６が水面ａに浮遊するが、図１の実施例では先頭位置のシモリウキ７の部分で道糸２が直角に曲がり、図９の実施例では先頭の２個の浮き体６が水面下に没した時点でシモリウキ７の部分で道糸２が直角に曲がる。図１０の実施例では浮き体６が水面下に没する度にシモリウキ７の部分で道糸２が直角に曲がる。図１１および図１２の実施例では、体積の大きい方の浮き体６Ｌは水面下で起立した状態で浮き、一方、体積の小さい方の浮き体６Ｓは水面ａに横たわった状態で浮遊する。いずれの実施例についても、中間位置のシモリウキ７の部分で道糸２は直角に曲がり、さらに図１２の実施例では浮き体６Ｓが水面下に没する度にシモリウキ７の部分で道糸２が直角に曲がる。
【００２６】
図１、図９、および図１０の実施例では、魚が餌に食い付くと、水面ａに浮いている浮き体６が順次水中に引き込まれるので、大きな浮力が急激に餌に加わることがなく、魚は違和感を感じない。この場合に、強い当たりに対しては多数個の浮き体６が順次水中に引き込まれ、微細な当たりに対しては１個ないしは少数個の浮き体６が水中に引き込まれたり水面ａを浮き沈みしたりするので、魚の大きな当たりも微細な当たりも容易に知ることができる。
【００２７】
また、図１１および図１２に示す実施例では、浮き体６Ｓが水面下に引き込まれるとき、浮き体６Ｓは体積が小さく、水面下への引き込みに対する抵抗力が小さいので、大きな浮力が急激に餌に加わることがなく、魚は殆ど違和感を感じない。また、わずかな当たりに対しても水面ａに浮遊する浮き６Ｓの動きが大きく顕著であるので、当たりがきわめて分かり易い。
【００２８】
さらに、いずれの実施例においても、道糸２はシモリウキ７の部分で直角に曲がるので、当たりが敏感に現れ、当たりに対する浮き体６，６Ｓの動きが大きなものとなる。しかも、直角が崩れて浮き体６，６Ｓが沈み始めるので、合わせのタイミングが取り易くなる。
【００２９】
魚を釣り上げる際、たとえ水深が深くて浮き下が長くても、各浮き体６，６Ｌ，６Ｓ、シモリウキ７、およびシモリ玉５Ａ，５Ｂは道糸２に沿って移動するので、図２に示されるように、道糸２は十分に巻き取られ、釣り上げた魚を手元まで十分に引き寄せることができる。
【図面の簡単な説明】
【００３０】
【図１】この発明の一実施例である釣り用浮きの構成とひとつの使用態様とを示す正面図である。
【図２】道糸が巻き取られた状態を示す正面図である。
【図３】（１）は浮き体の側面図、（２）は（１）のＡ−Ａ線に沿う断面図、（３）は（２）のＢ−Ｂ線に沿う断面図である。
【図４】（１）は浮き体の他の実施例の正面図、（２）は側面図、（３）は（２）のＣ−Ｃ線に沿う断面図である。
【図５】（１）は浮き体の他の実施例の正面図、（２）は側面図、（３）は（２）のＤ−Ｄ線に沿う断面図である。
【図６】（１）は浮き体の他の実施例の正面図、（２）は側面図、（３）は（２）のＥ−Ｅ線に沿う断面図である。
【図７】シモリウキの構成を示す一部を破断した正面図である。
【図８】シモリウキの他の実施例を示す正面図である。
【図９】この発明の他の実施例にかかる釣り用浮きの構成と使用態様とを示す正面図である。
【図１０】この発明の他の実施例にかかる釣り用浮きの構成と使用態様とを示す正面図である。
【図１１】この発明の他の実施例にかかる釣り用浮きの構成と使用態様とを示す正面図である。
【図１２】この発明の他の実施例にかかる釣り用浮きの構成と使用態様とを示す正面図である。
【符号の説明】
【００３１】
１    釣り具
２    道糸
３    釣り用浮き
６，６Ｌ，６Ｓ  浮き体
７    シモリウキ
【図１】
2006180722.tif 000003
【図２】
2006180722.tif 000004
【図３】
2006180722.tif 000005
【図４】
2006180722.tif 000006
【図５】
2006180722.tif 000007
【図６】
2006180722.tif 000008
【図７】
2006180722.tif 000009
【図８】
2006180722.tif 000010
【図９】
2006180722.tif 000011
【図１０】
2006180722.tif 000012
【図１１】
2006180722.tif 000013
【図１２】
2006180722.tif 000014